(57)【要約】【課題】効率的な燃焼と高温部の安全な取扱いを確保しつつ、室内空気の乾燥を防止することができる木質ペレットストーブを提供する。【解決手段】木質ペレットストーブ３１は、燃料の木質ペレットＡを貯留するペレットタンク２と、このペレットタンク２から受けた木質ペレット燃料Ａを燃焼するために周壁３ｂによって内外間を気密に画成した燃焼室３と、この燃焼室３の周壁３ｂに形成した通気口２１ａ，２２ａと連通して外気を給排する強制給排部２３とを備えて構成され、上記強制給排部２３の排気側は、燃焼室３と連通して屋外に排気を導く排気筒３２によって形成し、この排気筒３２の室内部分には、水を貯留蒸散するための蒸発容器３５からなる加湿部３４を備える。【選択図】図４
2004309110.tif 000002
【特許請求の範囲】
【請求項１】
燃料の木質ペレットを貯留するペレットタンクと、このペレットタンクから受けた木質ペレット燃料を燃焼するために周壁によって内外間を気密に画成した燃焼室と、この燃焼室の周壁に形成した通気口と連通して外気を給排する強制給排部と、これらペレットタンク、燃焼室および強制給排部を覆うカバーとを備える木質ペレットストーブにおいて、
上記燃焼室外周には、その周壁と接して水を貯留蒸散するための蒸発皿からなる加湿部をカバー内に備えたことを特徴とする木質ペレットストーブ。
【請求項２】
燃料の木質ペレットを貯留するペレットタンクと、このペレットタンクから受けた木質ペレット燃料を燃焼するために周壁によって内外間を気密に画成した燃焼室と、この燃焼室の周壁に形成した通気口と連通して外気を給排する強制給排部とを備える木質ペレットストーブにおいて、
上記強制給排部の排気側は、燃焼室と連通して屋外に排気を導く排気筒によって形成し、この排気筒の室内部分には、水を貯留蒸散するための蒸発容器からなる加湿部を備えたことを特徴とする木質ペレットストーブ。
【請求項３】
前記排気筒には、その室内部分に直立方向に立ち上がる直立部を形成し、この直立部に前記加湿部を形成し、この加湿部の蒸発容器は排気筒と別体に構成するとともに、この蒸発容器を同直立部の周壁と密接して配置したことを特徴とする請求項２記載の木質ペレットストーブ。
【請求項４】
前記蒸発容器は、その上端に開口を形成するとともに、この開口から蒸発容器の内方に進入可能に下垂する伝熱部材を直立部の周壁に取付けたことを特徴とする請求項３記載の木質ペレットストーブ。
【発明の詳細な説明】
【技術分野】
【０００１】
本発明は、木質ペレットを燃料とする木質ペレットストーブに関し、特に、その燃焼熱を利用して能率良く加湿することができる木質ペレットストーブに関するものである。
【背景技術】
【０００２】
木質ペレットストーブは、燃焼室を中心に、その後方にペレットタンクと補機部を上下に配置しこれらをカバーで覆って構成される。燃焼室は、木質ペレット燃料を燃焼する筒状のファイヤポットと、このファイヤポットを内設して内外間を気密に画成する周壁とを備えて構成され、周壁には、正面の覗き窓のほか、ペレットタンクと接続してファイヤポットにペレット燃料を供給するペレット供給口と、燃焼気を流通する通気口とを備え、この通気口を介して補機部に備えた強制給排機構と接続することにより構成される。ペレットタンクは、燃料の木質ペレットを貯留して燃焼室にペレット燃料を供給する。補機部には、強制給排機構、室内循環送風機構等を備えて燃焼室に燃焼気を給排しつつ、室内空気を加熱送風する。
【０００３】
上記構成により、木質ペレットストーブは、ペレットタンクからペレット供給口を介して木質ペレットをファイヤポットに供給することによってペレットを燃焼し、補機部に備えた強制給排機構により、室内空気を汚すことなく効率よく強力な火力を得ることができる。
【０００４】
しかしながら、上記木質ペレットストーブは、木質材料による燃焼にもかかわらず、外気燃焼式の強制給排機構による強力な火力を発生することにより、室内空気の乾燥を避けることができず、その一方で、貯留した水を蒸発させる蒸発容器を載せて加熱する加熱部を設けて加湿手段を構成することは、蒸発容器および加熱部の取扱いにおいて安全上の問題を招くこととなる。
【発明の開示】
【発明が解決しようとする課題】
【０００５】
解決しようとする問題点は、効率的な燃焼と高温部の安全な取扱いを確保しつつ、室内空気の乾燥を防止することができる木質ペレットストーブを提供することにある。
【課題を解決するための手段】
【０００６】
請求項１に係る発明は、燃料の木質ペレットを貯留するペレットタンクと、このペレットタンクから受けた木質ペレット燃料を燃焼するために周壁によって内外間を気密に画成した燃焼室と、この燃焼室の周壁に形成した通気口と連通して外気を給排する強制給排部と、これらペレットタンク、燃焼室および強制給排部を覆うカバーとを備える木質ペレットストーブにおいて、上記燃焼室外周には、その周壁と接して水を貯留蒸散するための蒸発皿からなる加湿部をカバー内に備えたことを特徴とする。
【０００７】
請求項２に係る発明は、燃料の木質ペレットを貯留するペレットタンクと、このペレットタンクから受けた木質ペレット燃料を燃焼するために周壁によって内外間を気密に画成した燃焼室と、この燃焼室の周壁に形成した通気口と連通して外気を給排する強制給排部とを備える木質ペレットストーブにおいて、上記強制給排部の排気側は、燃焼室と連通して屋外に排気を導く排気筒によって形成し、この排気筒の室内部分には、水を貯留蒸散するための蒸発容器からなる加湿部を備えたことを特徴とする。
【０００８】
請求項３に係る発明は、請求項２記載の発明において、前記排気筒には、その室内部分に直立方向に立ち上がる直立部を形成し、この直立部に前記加湿部を形成し、この加湿部の蒸発容器は排気筒と別体に構成するとともに、この蒸発容器を同直立部の周壁と密接して配置したことを特徴とする。
【０００９】
請求項４に係る発明は、請求項３記載の発明において、前記蒸発容器は、その上端に開口を形成するとともに、この開口から蒸発容器の内方に進入可能に下垂する伝熱部材を直立部の周壁に取付けたことを特徴とする。
【発明の効果】
【００１０】
本発明の木質ペレットストーブは以下の効果を奏する。
上記木質ペレットストーブは、蒸発皿からなる加湿部を燃焼室の周壁と接してカバー内に備えたことから、同蒸発皿に水を貯留することによってその水が加熱され、また、カバーにより高温部の露出を要することなく、加湿用の水蒸気を発生することができる。したがって、上記木質ペレットストーブは、カバー内の蒸発皿に水を貯留することにより、高温部の露出を要することなく加湿用蒸気が発生するので、蒸発皿による簡易な構成により、高温部の安全な取扱いと室内空気の加湿を確保しつつ強力な火力を得ることができる（請求項１）。
【００１１】
加湿部をストーブ本体と別体に排気筒に形成したことから、ストーブ本体の容積増加を抑えることができ、また、排気筒の排出熱を利用するように構成したことから、室内昇温のための燃焼熱を確保した上で加湿機能を得ることができる。したがって、上記木質ペレットストーブは、ペレットタンク等によるストーブ本体の大きな容積を最小限度に抑えた上で、暖房特性を確保しつつ、排出熱利用により効率よく室内を加湿することができる（請求項２）。
【００１２】
加湿部の蒸発容器を排気筒と別体に形成した場合は、排気筒の構成の複雑化を招くことなく、加湿部を簡易に構成することができる。したがって、上記木質ペレットストーブの加湿部は、請求項２の発明の効果に加え、簡易に低コストで構成することができるとともに、耐久性とメンテナンス性を確保することができる（請求項３）。
【００１３】
上記排気筒の直立部には伝熱部材を取付け、蒸発容器の上端の開口から内方に進入可能に下垂するように構成した場合は、蒸発容器の貯留水は、蒸発容器と伝熱部材の両方から排気筒の熱を受けて能率良く蒸散加湿することができる。したがって、上記木質ペレットストーブの加湿部は、請求項３の発明の効果に加え、排気筒および蒸発容器の構成の複雑化を招くことなく、簡易な構成により耐久性とメンテナンス性を確保しつつ、排気筒の排気熱を効率よく利用することができる（請求項４）。
【発明を実施するための最良の形態】
【００１４】
上記技術思想に基づき具体的に構成された実施の形態について以下に図面を参照しつつ説明する。
【００１５】
本発明に係る燃焼室を備える木質ペレットストーブの全体構成を説明する。図１は、木質ペレットストーブの正面図である。木質ペレットストーブ１は、頂部に開閉可能な蓋２ａと、この蓋２ａの内方で木質ペレット燃料Ａを入れるペレットタンク２と、このペレットタンク２からその前側位置で木質ペレット燃料Ａを受ける燃焼室３とを備え、この燃焼室３の正面側に覗き窓３ａを形成して構成される。また、図２の木質ペレットストーブの透視側面図に示すように、ペレットタンク２の蓋２ａの内方に加湿部４を構成し、燃焼室３の後方でペレットタンク２の下方に燃焼気や温風用の強制給排機構による補機部等を配置する。
【００１６】
燃焼室３には、その正面上部に開口する複数のパイプからなる熱交換部１１、燃焼室３の周壁３ｂの背面部に開口する燃料供給口３ｃ、この燃料供給口３ｃから燃料を受ける受部１２ａを備える角型等の上下に抜けた筒状のファイヤポット１２、このファイヤポット１２内に火床を形成保持する火格子１３、その下方に図示せぬ灰受を備える。
【００１７】
燃焼室３の覗き窓３ａは、透明板５によって閉鎖するとともに、少なくともその一部を凸レンズ等の拡大レンズ６によって拡大透視部を形成し、または、透明板５に拡大レンズ６を貼り付けることによって拡大透視部を形成する。拡大透視部の焦点位置は、ファイヤポット１２の火炎の後方に定める。
【００１８】
拡大透視部は、全方位について一様の屈折性を有する等方性のサーキュラレンズとする。このサーキュラレンズにより、全方位について等方拡大された火炎像が得られるので、燃焼室の正面を中心とする広い範囲で大きな透視火炎像を愉しむことができる。
【００１９】
また、拡大透視部は、上記に変えて特定の方位角について一様な屈折性を有するリニアレンズによって形成し、このリニアレンズを左右方向に火炎像を拡大透視する向きに配置することにより、燃焼室の正面を中心に左右に広い範囲で幅方向に拡大された透視火炎像の視認が可能となる。この場合は、ストーブの正面の広い範囲の床上において幅広の拡大透視火炎像による暖炉風の雰囲気を愉しむことができる。
【００２０】
さらに、共通焦点のレンズ要素を多段配列したサーキュラタイプまたはリニアタイプのフレネルレンズによって拡大透視部６を形成することにより、突出厚さを抑えて覗き窓３ａをスマートに構成することができる。この場合、フレネルレンズシートを透明板５の全面に貼ることにより、覗き窓３ａの全面を拡大透視部６として構成することができるので、大きな透視火炎像を容易に得ることができるほか、拡大透視部６の平面形状に応じた火炎模様のデザインを愉しむことができる。
【００２１】
加湿部４は、燃焼室３の上部に接して取付けた蒸発皿によって構成する。この蒸発皿に一定レベルで水を供給するバランスタンク４ａをペレットタンク２の蓋２ａの内側位置で取り外し可能に装着する。バランスタンク４ａには、着座によって開く図示せぬ蓋を備えた下端開口を水没可能な位置に形成することにより、大気圧とのバランスにより水位を常に一定レベルに維持するべく供給して効率的に水の蒸散を継続することができる。
【００２２】
補機部について具体的に説明すると、燃焼室３には２つの通気口２１ａ，２２ａを形成し、下部の通気口２１ａは燃焼用空気の吸気路２１と連通し、また、燃焼室３の後部には、上部の通気口２２ａから燃焼気を下方に案内する排気路２２と、この排気路２２から燃焼気を吸引排出する排気ファン２３とを備える。吸気路２１の入口と排気ファン２３の出口は図示せぬ二重管により戸外と連通することにより、排気ファン２３を中心としていわゆるＦＦ式の強制給排部を構成する。吸気路２１は、排気ファン２３の吸引力によって外気を燃焼室に案内し、燃焼気は排気路２２から排気ファン２３を介して外部に放出される。
【００２３】
燃焼室後部の排気路２２の後側に接して熱交換部１１の各パイプと連通する案内路２４とこの案内路２４に室内空気を送り込む熱交換用ファン２５を備える。この熱交換用ファン２５により室内空気を案内路２４に送り、この案内路２４により高温の排気路２２からペレットタンク２側への熱伝達を抑えつつ熱交換部１１に室内空気を送る。この熱交換部１１によって加熱された空気は、その正面開口から室内に吐出されて室内を加温する。
【００２４】
ペレットタンク２の下部には、ペレットタンク内の燃料を掬い上げる螺旋搬送機構２６を備え、その上端から燃料を燃焼室内に案内する傾斜案内路２７を備える。ペレットタンク２内の燃料Ａは、駆動信号に応じて螺旋搬送機構２６によって掬い上げられ、傾斜案内路２７を介して燃焼室のファイヤポット１２に供給される。
【００２５】
燃焼室には、ファイヤポット１２に着火用のヒータ１２ｂを備えることによって自動点火を可能とし、また、図示せぬ火掻手段によって定期的に火掻操作を行うことにより、燃えかすが残留する場合でも燃えかすを崩して灰受けに落下させることができるので、ペレット燃料を追加供給して燃焼を自動継続することができる。
【００２６】
つぎに、木質ペレットストーブの他の構成例について説明する。
図３は、他の構成例に係る木質ペレットストーブの側面図である。木質ペレットストーブ３１は、強制給排部の排気側を排気筒３２によって形成する。この排気筒３２は、ストーブ本体３１ａの燃焼室と連通して屋外に排気を導き、その室内部分に直立部３３を形成し、この直立部３３には、水を貯留蒸散するための蒸発容器３５からなる加湿部３４を形成する。
【００２７】
加湿部３４は、図４の拡大側面図（ａ）と拡大平面図（ｂ）に示すように、排気筒３２と別体構成の蒸発容器３５を同直立部３３の周壁と接して配置し、その上方に、伝熱部材３６を直立部３３の周壁に取付けて構成する。
【００２８】
蒸発容器３５は、中心に排気筒３２の外周と密接する大きさの挿通孔を形成し、上端を開口したリング状の容器であり、熱伝導性材料によって水を貯留可能に構成する。側面に水量表示窓３５ａを形成し、底部に水抜栓３５ｂを設ける。蒸発容器３５の取付けは、排気筒３２に固定したリング状ストッパ３７によって所定の高さ位置に支持する。
【００２９】
伝熱部材３６は、排気筒３２の外周と嵌合して密接固定可能なリング部３６ａと、このリング部３６ａに放射状に固定した複数の下垂部３６ｂ…とを熱伝導性材料によって形成する。下垂部３６ｂ…は、蒸発容器３５の開口から進入して貯留水中に浸漬するように配置する。
【００３０】
上記構成の木質ペレットストーブ３１は、加湿部３４をストーブ本体３１ａと別体に形成し、排気筒３２に配置したことから、ストーブ本体３１ａの容積を抑えることができ、また、排気筒３２の排出熱を利用するように構成したことから、室内昇温のための燃焼熱を確保した上で加湿機能を得ることができる。したがって、上記木質ペレットストーブ３１は、ストーブ本体３１ａの容積を最小限度に抑えた上で、暖房特性を確保しつつ、排出熱利用により効率よく室内を加湿することができる。
【００３１】
加湿部３４の蒸発容器３５を排気筒３２と別体に形成したことから、排気筒３２の構成の複雑化を招くことなく、加湿部３４を簡易に構成することができる。したがって、上記木質ペレットストーブ３１の加湿部３４は、簡易に低コストで構成することができるとともに、耐久性とメンテナンス性を確保することができる。
【００３２】
上記排気筒３２の直立部３３に取付けた別体構成の伝熱部材３６は、蒸発容器３５の上端の開口から内方に進入可能に下垂することからこの下垂部３６ｂ…の表面積に応じた熱交換作用を有するので、蒸発容器３５の貯留水は、蒸発容器３５と伝熱部材３６の両方から排気筒３２の熱を受けて能率良く加湿することができ、また、伝熱部材３６の取付け位置を変更することにより、必要に応じて加湿量を調節することができる。したがって、上記木質ペレットストーブ３１の加湿部３４は、排気筒３２および蒸発容器３５の構成の複雑化を招くことなく、簡易な構成により耐久性とメンテナンス性を確保しつつ、排気筒３２の排気熱を効率よく利用することができる。
【産業上の利用可能性】
【００３３】
本発明の木質ペレットストーブは、効率的な燃焼と高温部の安全な取扱いを確保しつつ、室内空気の乾燥を防止することができる。
【図面の簡単な説明】
【００３４】
【図１】木質ペレットストーブの正面図である。
【図２】図１の木質ペレットストーブの透視側面図である。
【図３】他の構成例に係る木質ペレットストーブの側面図である。
【図４】図３の木質ペレットストーブの加湿部の拡大側面図（ａ）と拡大平面図（ｂ）である。
【符号の説明】
【００３５】
１    木質ペレットストーブ
２    ペレットタンク
２ａ    蓋
３    燃焼室
３ｂ    周壁
３ｃ    燃料供給口
４    加湿部
４ａ    バランスタンク
５    透明板
１１    熱交換部
１２ｂ    ヒータ
１２    ファイヤポット
１２ａ    受部
１３    火格子
２１    吸気路
２１ａ，２２ａ    通気口
２２    排気路
２３    排気ファン
２４    案内路
２５    熱交換用ファン
２６    螺旋搬送機構
２７    傾斜案内路
３１    木質ペレットストーブ
３１ａ    ストーブ本体
３２    排気筒
３３    直立部
３４    加湿部
３５    蒸発容器
３６    伝熱部材
３６ａ    リング部
３６ｂ    下垂部
Ａ    木質ペレット燃料
【図１】
2004309110.tif 000003
【図２】
2004309110.tif 000004
【図３】
2004309110.tif 000005
【図４】
2004309110.tif 000006